(57)【特許請求の範囲】
【請求項１】
歌唱用マイクと、プラスティック起毛素材又はスポンジラバー素材のシートとからなる楽器であって、前記シートはズボンのももの部分又は体の任意の位置にぬい付け又は貼り付けてあり、前記歌唱用マイクの先端の音を取り込む部分を前記シートにあててスクラッチする（こする）ことにより効果音を発生させることを特徴とする楽器。
【発明の詳細な説明】
【技術分野】
【０００１】通常のマイクでシートをスクラッチ（こする）する事より交果音をかもし出すという楽器に関するものである。
【背景技術】
【０００２】現代音楽の中でジャンルでいうとピップポックサウンドなどで、曲目の中で曲が流れる最中や出だしで、歌手のバックでＤＪブースにいて．ミキサーをそうさするＤＪがＬＰレコードばんに針をおとしてＬＰレコードをスクラッチして効果音をかもし出すというような、音楽技術がある。【０００３】以下図をもって説明する。
【先行技術文献】
【０００４】［ＡＳＭＲ］というマイク自体にスポンジラバーをおうい指などで（こすり）スクラッチして効果音を出す．「マイクスクラッチング」という様なものがインターネットで見られる．
【発明の概要】
【発明が解決しようとする課題】
【０００５】従来歌い手が曲目を歌ってる最中、曲のあい間やサビの部分でスクラッチ交果音を入れるのは、ＤＪがＤＪブースでＬＰレコードに針をおとしてスクラッチしたりシンセサイザー等を使って効果楽を入れていた。【０００６】本発明は、コンサートやカラオケ等で歌い手が、ＤＪの入れる効果音に“たよらず”自分の好みのタイミングで自分の意志によってスクラッチ効果音を入れるために開発したものであり、歌い手本人が例えばズボンに貼り付けた上記シートや物に貼った上記シートにマイクでスクラッチ（こする）だけで、ＤＪが曲の間に入れる様なスクラッチ効果音がかもし出せれる様にした楽器である。【０００７】歌手がコンサートで曲目を唄ったり、一般にカラオケで歌を唄う時に、例えば、ズボンのふともも等にぬい付けた上記シートや台等に貼り付けたシートに、歌のタイミングに合わせて通常のマイクで上記シートにスクラッチ（こする）だけで、曲をえんしゅつする効果音が出せるというパフォーマンスが出来る。【０００８】以上述べた様に、歌い手は、曲目を唄っている最中出だしのイントロの部分やサビの部分で．ＤＪが効果音を入れるのではなく自分の好きな時に自分の意志によってズボンや台に貼り付けてある上記シートで自由にスクラッチ効果音を出すことが出来る。【０００９】上記述べた様にあらかじめ上記シートをズボンにぬい付けたり台等に貼り付けたりしておいて．通常のマイクで上記シートにスクラッチ（こする）してスクラッチ効果音をかもしだすような演出が出来る。
【発明の交果】
【００１０】自分でも．マジックテープの凸側の素材やゴムラバーシートをＧパンにぬい付けて、カラオケに行きカラオケマイクで上記シートをスクラッチしたらＬＰレコードを針でこする音ににた様なスクラッチ効果音をかもし出す事が出来た。
【００１１】上記述べた様にマジックテープの凸側素材やラバーゴム等、素材が変れば、効果音には、多様な音を出す事が出来た。
【００１２】本発明は、マジックテープの凸側の様なプラッチックの起毛素材シートやゴムラバースポンジシート等をあらかじめズボンのふともも部分にぬい付けたり台等に貼り付けておいて通常のマイクでスクラッチ（こする）すると効果音が出るという用途に本発明のポイントがある．
【００１３】本発明は、各国において．ズボンに貼ってある様なシートにマイクを直接こすり付けてスクラッチ効果音を出すというのは、現代では、まだ見られなく新らしい発想のアイディアである。
【図面の簡単な説明】
【００１４】
【図１】本発明の用途に使うスクラッチマイクシートの概観図である
【図２】スクラッチマイクシートの起毛部分の図である
【図３】スクラッチマイクシートをジーパンに貼った概観図である．
【図４】歌い手が、スクラッチマイクシートにマイクでスクラッチをしているパフォーマンスの概観図である。
【図５】スクラッチマイクシートにマイクでスクラッチをしている具体的な図である。
【発明を実施するための形態】
【００１５】以下、本発明の形態を図１から図５に基いて説明する。
【００１６】図においては、図１のスクラッチマイクシートの概観図であるが、形態としては、本図では．スクラッチをしやすい様な形にしてある．しかし、形は、ハートの形とか星形などさまざまな形に出来、小供だったら、クマさんやコワラのようなかわいらしい形等でも良い。
【００１７】図２においては．スクラッチマイクシートの交果音を出すための起毛を示めしている．左側は起毛が短かく高い音が出て右側は、起毛が長く、スクラッチ音に強弱が出る様にしてある．
【００１８】図３においては、スクラッチマイクシートは、体のどこの部分に貼り付けても良いが．とりあえず１番スクラッチのしやすいジーパンのももの部分に貼り付けたものである．又台の様な物でも良い。
【００１９】図４は、実さいに歌い手がマイクでスクラッチマイクシートでスクラッチをしパフォーマンスをしている外観図である。
【００２０】図５は、具体的に．通常のマイクでスクラッチマイクシートにスクラッチをしている図である。
【発明を実施するための形態】
【００２１】以下、本発明の図１から図５に基ずいて説明する。
【００２２】図１においては、スクラッチマイクシートでＧパン等に付けた特に使いやすい様にとと考えた形をした図である．
【００２３】図２においては、スクラッチマイクシートをマイクでスクラッチして音を出すための起毛を示したＧであるが．音に高低を出すために．左右に起毛の長さを変えて．ある図である。
【００２４】図３においては．ＡのＧパンにＢのスクラッチマイクシートが貼り付けてあるが、歌い手が一番マイクでスクラッチしやすい部分に貼ってある図である。
【００２５】図４においては、歌い手が、曲目のイントロやサビのところで．スクラッチマイクシートにマイクでスクラッしをしてパフォーマンスをしている外観図である。
【００２６】図５においては、Ｇパンのももの部分に貼ってあるスクラッチマイクシートに通常のマイクでスクラッチをしている具体的な図である。
【００２７】図１のＢは、スクラッチマイクシートの外観図であるが図２の様に表面に起毛（プラスチックやラバーゴム）等があしらってあり．図３のＡのＧパン等のマイクでスクラッチしやすい様な部分に貼り付けてある．図４の様に歌い手が曲目のイントロ部分やサビの部分でスクラッチしてパフォーマンスをする．図５のＦの様にスクラッチマイクシートに通常のマイクをこすり付けて交果音をかもし出してえんしゅつする．
【００２８】以上述べた様に．現代の音楽シーンでいうとミージシャンが曲目を唄う時交果音は、バックのＤＪがＤＪブースで、ＬＰレコードに針をおとしてスクラッチしたり、シンセサイザー等でスクラッチ音や交果音を入れていたが、本発明では．歌い手本人が自分の意志で交果音を入れたいタイミングをはかり自由に交果音が入れれる様にと開発したものでありダンスをしたりしながら演出する事が出来るものである。
【符号の説明】
【００２９】Ａ．      ジーパン
Ｂ、      スクラッチマイクシート
Ｄ．      通常のマイク
Ｅ．      Ｇパンのももの部分
Ｆ．      通常のマイクでスクラッチマイクをこすっている接点
Ｇ．      プラスチック起毛
【図１】
0006981714.tif 000002
【図２】
0006981714.tif 000003
【図３】
0006981714.tif 000004
【図４】
0006981714.tif 000005
【図５】
0006981714.tif 000006